【手続補正書】
【提出日】令和2年10月30日(2020.10.30)
【手続補正１】
【補正対象書類名】特許請求の範囲
【補正対象項目名】全文
【補正方法】変更
【補正の内容】
【特許請求の範囲】
【請求項１】
コンピュータ実行可能命令を格納するメモリ装置と、
前記メモリ装置に通信可能に結合された少なくとも１つのプロセッサ装置であって、前記少なくとも１つのプロセッサ装置により実行されたとき、前記コンピュータ実行命令が前記プロセッサ装置に次の操作を実行させるプロセッサ装置と
を備えた放射線治療計画システムであって、
前記操作は、
基準治療計画を受け取るステップであって、前記基準治療計画は、１つまたはそれ以上の線量制約値と制御点情報を含むステップと、
前記受け取られた基準治療計画に含まれていない少なくとも１つの医用画像と構造体セットとを受け取るステップと、
前記受け取られた少なくとも１つの医用画像と構造体セットとに基づいて新しい治療計画を決定するステップと、
前記基準治療計画に基づいて、複数の放射線ビームの制御点情報を決定し、前記複数の放射線ビームを前記受け取られた少なくとも１つの医用画像に登録するステップと、
フルエンスマップ最適化アルゴリズムと前記受け取られた少なくとも１つの医用画像と構造体セットとを使用して、前記基準治療計画に含まれる１つまたはそれ以上の線量制約値に基づいて、前記複数の放射線ビームのそれぞれについて最適化されたフルエンスマップを決定するステップと、
前記複数の放射線ビームの前記最適化されたフルエンスマップに基づいて、最適化された線量分布を決定するステップと、
前記基準治療計画に含まれる前記制御点情報に基づいてウォームスタート最適化アルゴリズムを使用して、前記新しい治療計画の少なくとも１つのビームの変調特性を決定するステップであって、前記制御点情報は、前記複数の放射線ビームが変調されるマルチリーフコリメータアパーチャの形状を含むステップと、
前記制御点情報を放射線送達装置に転送し、前記マルチリーフコリメータアパーチャの形状を適応的に調整し、前記装置による放射線の送達中、前記最適化された線量分布を達成するステップと
を有する
ことを特徴とする放射線治療計画システム。
【請求項２】
請求項１記載の放射線治療計画システムにおいて、
前記新しい治療計画は、前記基準計画が実行された患者と同じ患者のためのものである
ことを特徴とする放射線治療計画システム。
【請求項３】
請求項１記載の放射線治療計画システムにおいて、
前記新しい治療計画は、前記基準計画が実行された患者と異なる患者のためのものである
ことを特徴とする放射線治療計画システム。
【請求項４】
請求項１記載の放射線治療計画システムにおいて、
前記操作は、更に、
少なくとも１つの更新された医用画像を受け取るステップと、
前記更新された医用画像のための更新された構造体セットを決定する、または、更新された構造体セットを受け取るステップと、
前記更新された構造体セットと前記基準治療計画に含まれている構造体セットとの間の差異を決定するステップと、
前記差異に基づいて修正された制御点情報を決定するステップであって、セグメントアパーチャモーフィングアルゴリズムを使用し、前記ウォームスタート最適化に対する前記修正された制御点情報を使用するステップと
を有する
ことを特徴とする放射線治療計画システム。
【請求項５】
請求項４記載の放射線治療計画システムにおいて、
前記更新された医用画像を受け取るステップは、前記基準計画が実行された患者と同じ患者から更新された医用画像を受け取るステップを含む
ことを特徴とする放射線治療計画システム。
【請求項６】
請求項４記載の放射線治療計画システムにおいて、
前記更新された医用画像を受け取るステップは、前記基準計画が実行された患者と異なる患者に対する更新された医用画像を受け取るステップを含む
ことを特徴とする放射線治療計画システム。
【請求項７】
請求項１記載の放射線治療計画システムにおいて、
前記基準治療計画は、所定の計画テンプレートに基づいており、
前記新しい治療計画は、前記基準計画が実行された患者とは異なる患者のためのものである
ことを特徴とする放射線治療計画システム。
【請求項８】
請求項１記載の放射線治療計画システムにおいて、
前記１つまたはそれ以上の線量制約値は、１つまたはそれ以上のリスク臓器が受ける放射線量の制約を含む
ことを特徴とする放射線治療計画システム。
【請求項９】
請求項１記載の放射線治療計画システムにおいて、
前記新しい治療計画の前記少なくとも１つのビーム変調特性は、前記複数の放射線ビームが変調される最適化されたマルチリーフコリメータアパーチャのセットの形状を含む
ことを特徴とする放射線治療計画システム。
【請求項１０】
請求項１０記載の放射線治療計画システムにおいて、
前記新しい治療計画の前記少なくとも１つのビーム変調特性は、前記セット内の前記最適化されたマルチリーフコリメータアパーチャにそれぞれ関連付けられた重み係数を含み、
前記重み係数は、前記最適化されたマルチリーフコリメータアパーチャのそれぞれを介して送達される放射線線量の相対的比率を示す
ことを特徴とする放射線治療計画システム。
【請求項１１】
コンピュータ実行可能命令を実行する少なくとも１つのプロセッサ装置により実行される放射線治療計画を実行する方法であって、
前記方法は、
基準治療計画を受け取るステップであって、前記基準治療計画は、１つまたはそれ以上の線量制約値と制御点情報を含むステップと、
前記受け取られた基準治療計画に含まれていない少なくとも１つの医用画像と構造体セットとを受け取るステップと、
前記受け取られた少なくとも１つの医用画像と構造体セットとに基づいて新しい治療計画を決定するステップと、
前記基準治療計画に基づいて、複数の放射線ビームの制御点情報を決定し、前記複数の放射線ビームを前記受け取られた少なくとも１つの医用画像に登録するステップと、
フルエンスマップ最適化アルゴリズムと前記受け取られた少なくとも１つの医用画像と構造体セットとを使用して、前記基準治療計画に含まれる１つまたはそれ以上の線量制約値に基づいて、前記複数の放射線ビームのそれぞれについて最適化されたフルエンスマップを決定するステップと、
前記複数の放射線ビームの前記最適化されたフルエンスマップに基づいて、最適化された線量分布を決定するステップと、
前記基準治療計画に含まれる前記制御点情報に基づいてウォームスタート最適化アルゴリズムを使用して、前記新しい治療計画の少なくとも１つのビームの変調特性を決定するステップであって、前記制御点情報は、前記複数の放射線ビームが変調されるマルチリーフコリメータアパーチャの形状を含むステップと、
前記制御点情報を放射線送達装置に転送し、前記マルチリーフコリメータアパーチャの形状を適応的に調整し、前記装置による放射線の送達中、前記最適化された線量分布を達成するステップと
を有する
ことを特徴とする方法。
【請求項１２】
請求項１１記載の方法において、
前記新しい治療計画は、前記基準計画が実行された患者と同じ患者のためのものである
ことを特徴とする方法。
【請求項１３】
請求項１１記載の方法において、
前記新しい治療計画は、前記基準計画が実行された患者と異なる患者のためのものである
ことを特徴とする方法。
【請求項１４】
請求項１１記載の方法において、
少なくとも１つの更新された医用画像を受け取るステップと、
前記更新された医用画像のための更新された構造体セットを決定する、または、更新された構造体セットを受け取るステップと、
前記更新された構造体セットと前記基準治療計画に含まれている構造体セットとの間の差異を決定するステップと、
前記差異に基づいて修正された制御点情報を決定するステップであって、セグメントアパーチャモーフィングアルゴリズムを使用し、前記ウォームスタート最適化に対する前記修正された制御点情報を使用するステップと
を有する
ことを特徴とする方法。
【請求項１５】
請求項１４記載の方法において、
前記更新された医用画像を受け取るステップは、前記基準計画が実行された患者と同じ患者から更新された医用画像を受け取るステップを含む
ことを特徴とする方法。
【請求項１６】
請求項１４記載の方法において、
前記更新された医用画像を受け取るステップは、前記基準計画が実行された患者と異なる患者に対する更新された医用画像を受け取るステップを含む
ことを特徴とする方法。
【請求項１７】
請求項１４記載の方法において、
前記基準治療計画は、所定の計画テンプレートに基づいており、
前記新しい治療計画は、前記基準計画が実行された患者とは異なる患者のためのものである
ことを特徴とする方法。
【請求項１８】
請求項１１記載の方法において、
前記１つまたはそれ以上の線量制約値は、１つまたはそれ以上のリスク臓器が受ける放射線量の制約を含む
ことを特徴とする方法。
【請求項１９】
請求項１１記載の方法において、
前記新しい治療計画の前記少なくとも１つのビーム変調特性は、前記複数の放射線ビームが変調される最適化されたマルチリーフコリメータアパーチャのセットの形状を含む
ことを特徴とする方法。
【請求項２０】
請求項１９記載の方法において、
前記新しい治療計画の前記少なくとも１つのビーム変調特性は、前記セット内の前記最適化されたマルチリーフコリメータアパーチャにそれぞれ関連付けられた重み係数を含み、
前記重み係数は、前記最適化されたマルチリーフコリメータアパーチャのそれぞれを介して送達される放射線線量の相対的比率を示す
ことを特徴とする方法。
【請求項２１】
装置の少なくとも１つのプロセッサにより実行され、前記装置に、先行する請求項のいずれか１項に記載の方法を実行させる命令のセットを格納する非一時的コンピュータ可読媒体。
【請求項２２】
請求項１１記載の方法において、
前記制御点情報は、放射線送達装置に転送するのに適し、前記装置による放射線の送達を指示する
ことを特徴とする方法。
【請求項２３】
請求項１１記載の方法において、
前記マルチリーフコリメータの状態は、放射線治療のコース中、適応的に調整され得る
ことを特徴とする方法。
【請求項２４】
請求項１記載の方法において、
前記制御点情報は、放射線送達装置に転送するのに適し、前記装置による放射線の送達を指示する
ことを特徴とする方法。
【請求項２５】
請求項１記載のシステムにおいて、
前記マルチリーフコリメータの状態は、放射線治療のコース中、適応的に調整され得る
ことを特徴とする方法。